(57)【要約】【課題】メガネの曇りを防止できるマスクを提供する。【解決手段】マスク１は、不織布から形成されるマスク本体１０と、マスク本体１０の両側縁近傍に取り付けられる耳紐２、２と、マスク本体１０の上端縁近傍に埋設される第１形状保持ワイヤ３１と、マスク本体１０の下部に形成される通気部と、を備えている。この通気部は、マスク本体１０の下端縁近傍に埋設される第２形状保持ワイヤ３２をさらに備え、第２形状保持ワイヤ３２が左右の中心近傍で折り曲げられて通気部が形成されている。【選択図】図１
0003231817.tif 000002
【実用新案登録請求の範囲】
【請求項１】
不織布から形成されるマスク本体と、
前記マスク本体の両側縁近傍に取り付けられる耳紐と、
前記マスク本体の上端縁近傍に埋設される第１形状保持ワイヤと、
前記マスク本体の下部に形成される通気部と、
を備える、マスク。
【請求項２】
前記マスク本体の下端縁近傍に埋設される第２形状保持ワイヤをさらに備え、前記第２形状保持ワイヤが左右の中心近傍で折り曲げられて前記通気部が形成される、請求項１に記載された、マスク。
【請求項３】
前記耳紐は、第１端部と第２端部を有するループ状に形成されるものであり、前記マスク本体の両側縁近傍において、前記第１端部が上端縁近傍に取り付けられ、前記第２端部が上下の中心近傍に取り付けられる、請求項１又は請求項２に記載された、マスク。
【請求項４】
前記マスク本体の下部に、フラップ状に開閉できる下部フィルタをさらに備える、請求項１乃至請求項３のいずれか一項に記載された、マスク。
【考案の詳細な説明】
【技術分野】
【０００１】
本考案は、メガネが曇りにくい使い捨てマスクに関するものである。
【背景技術】
【０００２】
コロナ禍において、会話などの際に装着者の口元を遮蔽するためのマスクを着用する機会が増加している。一方で、メガネをかける人がマスクを装着すると、鼻の横の隙間から漏れた呼気によって、メガネが曇ってしまう、という問題が生じていた。
【０００３】
鼻の横の隙間を塞ぐために、ノーズフィッターと呼ばれる部品を本体上部に設けたマスクも公知となっている。ノーズフィッターがあれば、装着時にマスク本体の上部を鼻の形状に合わせることで隙間を塞ぐことができるものの、メガネの曇りを防止するには不十分であった。
【０００４】
そこで、例えば特許文献１に記載されたマスクは、上部シート部材とクッション部材との間に隙間が形成されているので、マスクを装着した状態において、呼気によってマスク内と外部とに生じる気圧差を抑制することができる。このため、マスクを装着した状態において、マスクのクッション部材と装着者の顔面との間の密着性を維持することができるので、マスク上部から漏れる呼気によって生じる眼鏡の曇りを適切に防止することができる、とされている。
【先行技術文献】
【特許文献】
【０００５】
【特許文献１】特開２０２０−５０９９６号公報
【考案の概要】
【考案が解決しようとする課題】
【０００６】
しかしながら、特許文献１のマスクは、隙間を通じて気圧差を抑制しているものの、呼吸が荒くなった際には、十分に気圧差を解消することができず、鼻の横の隙間から呼気が漏れてメガネが曇るおそれがあった。
【０００７】
そこで、本考案は、メガネの曇りを防止できるマスク、を提供することを目的としている。
【課題を解決するための手段】
【０００８】
前記目的を達成するために、第１の考案のマスクは、不織布から形成されるマスク本体と、前記マスク本体の両側縁近傍に取り付けられる耳紐と、前記マスク本体の上端縁近傍に埋設される第１形状保持ワイヤと、前記マスク本体の下部に形成される通気部と、を備えている。
【０００９】
また、第２の考案のマスクは、前記マスク本体の下端縁近傍に埋設される第２形状保持ワイヤをさらに備え、前記第２形状保持ワイヤが左右の中心近傍で折り曲げられて前記通気部が形成される、ことを特徴としている。
【００１０】
さらに、第３の考案のマスクは、前記耳紐は、第１端部と第２端部を有するループ状に形成されるものであり、前記マスク本体の両側縁近傍において、前記第１端部が上端縁近傍に取り付けられ、前記第２端部が上下の中心近傍に取り付けられる、ことを特徴としている。
【００１１】
さらに、第４の考案のマスクは、前記マスク本体の下部に、フラップ状に開閉できる下部フィルタをさらに備える、ことを特徴としている。
【考案の効果】
【００１２】
前述した目的を達成するために、第１の考案のマスクは、マスク本体と、耳紐と、第１形状保持ワイヤと、マスク本体の下部に形成される通気部と、を備えている。このような構成であれば、通気部から呼気を吐き出すことによって、マスク内外の気圧差をなくし、鼻の横から呼気が漏れてメガネが曇ることを防止できる。
【００１３】
また、第２の考案のマスクは、マスク本体の下端縁近傍に埋設される第２形状保持ワイヤをさらに備え、第２形状保持ワイヤが左右の中心近傍で折り曲げられて通気部が形成されるようにすれば、第１形状保持ワイヤと略同様の簡単な手法によって通気部を形成することができる。
【００１４】
さらに、第３の考案のマスクは、耳紐は、第１端部と第２端部を有するループ状に形成されるものであり、マスク本体の両側縁近傍において、第１端部が上端縁近傍に取り付けられ、第２端部が上下の中心近傍に取り付けられるようにすれば、耳紐によってマスク本体を引っ張って通気部を狭くしてしまうことを防止できる。
【００１５】
そして、第４の考案のマスクは、マスク本体の下部に、フラップ状に開閉できる下部フィルタをさらに備えることで、通気部を通じたウイルス等の出入りを防止できる。
【図面の簡単な説明】
【００１６】
【図１】実施例のマスクの正面図である。
【図２】実施例のマスクを装着した正面図である。
【図３】実施例のマスクを装着した側面図である。
【考案を実施するための形態】
【００１７】
以下、本考案の実施の形態について図面を参照して説明する。ただし、以下の実施例に記載されている構成要素は例示であり、本考案の技術範囲をそれらのみに限定する趣旨のものではない。
【実施例】
【００１８】
（構成）
まず、図１を用いて本考案のマスク１の構成を説明する。本考案のマスク１は、不織布製の四角形の使い捨て型のマスク１である。すなわち、マスク１は、マスク本体１０と、耳紐２、２と、第１形状保持ワイヤ３１と、通気部を形成するための第２形状保持ワイヤ３２と、から構成される。
【００１９】
マスク本体１０は、通気性を有する素材、例えば、不織布やガーゼなどの織物、編物など形成されている。マスク本体１０の形状としては、具体的には、プリーツを有する四角形状のものを採用することができる。
【００２０】
この他、マスク本体１０は、不織布シート等の積層構造とすることもできる。マスク本体１０を積層構造とする場合は、各層に用いられるシートの周縁を接合することができる。シートの接合方法は、とくに限定されるものではないが、例えば、超音波溶着、熱溶着、接着剤による接着、縫製等を用いることができる。
【００２１】
なお、マスク本体１０の大きさ寸法は、特に限定されるものではなく、装着者の顔の大きさや好みに応じて適宜に選択することができる。例えば、男性用のマスクであれば、幅が１６ｃｍ〜１７ｃｍ、高さが７ｃｍ〜１１ｃｍとなるように形成することができる。一方、女性用のマスクであれば、幅が１４ｃｍ〜１５ｃｍ、高さが７ｃｍ〜１１ｃｍとなるように形成することができる。
【００２２】
耳紐２は、ループ状に形成されるゴム紐である。耳紐２、２を左右の耳に掛けることによって、マスク１を口元を覆う位置に保持できるようになっている。そして、本実施例のマスク１の耳紐２、２は、第１端部２１は従来通りにマスク本体１０の上端縁近傍に取り付けられるが、第２端部２２は従来と異なりマスク本体１０の上下方向の中心位置の近傍に取り付けられる。
【００２３】
すなわち、第２端部２２は、第２形状保持ワイヤ３２の位置から上下方向にずれた位置に取り付けられている。このような構成によって、耳紐２によってマスク本体１０を引っ張っても、第２形状保持ワイヤ３２によって形成されたスペースをつぶすことを防止できるのである。なお、マスク本体１０に対する耳紐２の取付手法は、とくに限定されるものではないが、例えば、超音波溶着、熱溶着、接着剤による接着、縫製等を用いることができる。
【００２４】
第１形状保持ワイヤ３１は、力を加えることで変形し、力を除去するとその変形状態を保持することができる部材である。例えば、第１形状保持ワイヤ３１として、塑性変形可能なアルミニウム製や鉄製などの金属製のワイヤ（又は薄板）や、樹脂製のワイヤ（又は薄板）などを採用することができる。
【００２５】
そして、この第１形状保持ワイヤ３１を山形に折り曲げることで、マスク本体１０の上縁部近傍が人間の顔（特に鼻）に沿った形状とすることができるため、マスク本体１０の上縁部近傍から吐息が上方に漏れ出ることを防止できる。
【００２６】
第２形状保持ワイヤ３２は、第１形状保持ワイヤ３１と略同様の構成である。すなわち、第２形状保持ワイヤ３２は、力を加えることで変形し、力を除去するとその変形状態を保持することができる部材である。例えば、第２形状保持ワイヤ３２として、塑性変形可能なアルミニウム製や鉄製などの金属製のワイヤ（又は薄板）や、樹脂製のワイヤ（又は薄板）などを採用することができる。
【００２７】
そして、この第２形状保持ワイヤ３２を山形に折り曲げることで、マスク本体１０の下縁部近傍に、顔から離れた空間を形成することができる。この空間が鼻孔と連絡することによって、マスク本体１０の下縁部近傍から吐息が下方に直線的に排出されることを促進するようになっている。
【００２８】
さらに言えば、このようにマスク本体１０の下部に鼻孔と連絡する直線的な経路を創出することによって、マスク本体１０の下縁部近傍の圧力が、マスク本体１０の上縁部近傍の圧力よりも低く、ほとんど外部の圧力と略同一になる。そうすると、装着者の口から出た吐息は、マスク本体１０の下部の通気経路から外部へと排出されることになる。したがって、マスク１を装着したことに起因するメガネの曇りを防止できる。
【００２９】
そして、本実施例のマスク１は、マスク本体１０の下部に、フラップ状に開閉できる下部フィルタ４をさらに備えている。下部フィルタ４は、マスク本体１０と同様の素材によって形成することができる。この下部フィルタ４は、図１に示すように、マスク本体１０に上向きに取り付けられている。したがって、マスク１を装着する際には、下部フィルタ４は下向きに折り曲げた後に装着することになる。
【００３０】
（作用）
次に、図２、図３を用いて、本実施例のマスク１の作用について説明する。まず、マスク１の装着方法について説明する。マスク１の装着方法は以下の（１）−（３）のステップから構成される。
（１）下部フィルタ４を下側に折り曲げつつ、耳紐２、２を耳に掛ける。
（２）第１形状保持ワイヤ３１を、マスク１と顔の間に隙間ができないように、鼻の外形に沿って山形に折り曲げる。
（３）第２形状保持ワイヤ３２を、中心（顎の位置）で山形に折り曲げて、空気が通り抜ける経路を作る。
【００３１】
したがって、本実施例のマスク１であれば、顎の位置で折れ曲がった第２形状保持ワイヤ３２によって、空気が通り抜ける経路を作ることで、吐息をスムーズに排出することができるようになる。この場合、耳紐２の第２端部２２の位置が高いことで、マスク本体１０の下部が引っ張られないため、鼻孔から顎までの空気の通り抜ける経路が直線的になる。そうすることで、結果として、メガネの曇りを防止することができるのである。
【００３２】
以上、図面を参照して、本考案の実施例を詳述してきたが、具体的な構成は、この実施例に限らず、本考案の要旨を逸脱しない程度の設計的変更は、本考案に含まれる。
【符号の説明】
【００３３】
１    ：マスク
１０  ：マスク本体
２    ：耳紐
２１  ：第１端部
２２  ：第２端部
３１  ：第１形状保持ワイヤ
３２  ：第２形状保持ワイヤ
４    ：下部フィルタ
【図１】
0003231817.tif 000003
【図２】
0003231817.tif 000004
【図３】
0003231817.tif 000005